【手続補正書】
【提出日】平成19年3月30日(2007.3.30)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  像担持体と、前記像担持体を帯電する帯電手段と、記憶手段とを有するプロセスカートリッジを着脱可能な画像形成装置であって、
前記記憶手段に記憶されている情報に基づいて、前記プロセスカートリッジの使用状態を判定する判定手段と、
前記判定手段の判定結果に応じて、前記像担持体と前記帯電手段とによって形成される帯電部に導電性の帯電促進粒子を供給する供給手段と、
を有することを特徴とする画像形成装置。
【請求項２】  前記記憶手段には、前記プロセスカートリッジが新品であるか否かを示す情報、または、前記プロセスカートリッジの最終使用日が記憶されており、前記判定手段は、前記新品であるか否かを示す情報、または、最終使用日に基づいて、前記プロセスカートリッジが新品であるか、または、長期未使用状態であるかを判定することを特徴とする請求項１に記載の画像形成装置。
【請求項３】  前記判定手段によって、前記プロセスカートリッジが新品である、または、長期未使用状態であると判定された場合、前記供給手段は、前記帯電手段によって前記像担持体を帯電させて前記像担持体への除電を行わない状態で、前記帯電手段の帯電極性と逆の極性の電荷を前記帯電促進粒子に付与して、前記帯電促進粒子を前記帯電部に供給することを特徴とする請求項２に記載の画像形成装置。
【請求項４】  更に、現像剤を収容する現像剤収容部及び現像剤を前記像担持体に供給する現像担持体を備えた現像手段を有し、前記現像剤収容部に前記導電性の帯電促進粒子が含まれることを特徴とする請求項１に記載の画像形成装置。
【請求項５】  像担持体と、現像剤を収容する現像剤収容部及び現像剤を前記像担持体に供給する現像担持体を備えた現像手段と、前記像担持体を帯電する帯電手段と、記憶手段とを有するプロセスカートリッジを着脱可能な画像形成装置であって、
前記記憶手段に記憶されている情報に基づいて、前記プロセスカートリッジの使用状態を判断する判定手段と、
前記判定手段の判定結果に応じて、前記像担持体と前記帯電手段とによって形成される帯電部に導電性の帯電促進粒子を供給する供給手段と、
前記像担持体を帯電させて前記像担持体への除電を行わない状態で、前記現像手段内の現像剤に電荷を付与する電荷付与手段と、
を有することを特徴とする画像形成装置。
【手続補正３】
【補正対象書類名】明細書
【補正対象項目名】０００１
【補正方法】変更
【補正の内容】
【０００１】
【発明の属する技術分野】
本発明は、画像形成装置に関する。
【手続補正４】
【補正対象書類名】明細書
【補正対象項目名】０００９
【補正方法】変更
【補正の内容】
【０００９】
従って、本発明の目的は、常に良好な画像を得ることができる画像形成装置を提供することである。
【手続補正５】
【補正対象書類名】明細書
【補正対象項目名】００１０
【補正方法】変更
【補正の内容】
【００１０】
本発明の他の目的は、画像形成装置に着脱可能なプロセスカートリッジの使用初期段階から良好な画像を得ることができ、又、プロセスカートリッジが長期使用されなかった場合でも、使用開始したときに常に良好な画像を得ることができる画像形成装置を提供することである。
【手続補正６】
【補正対象書類名】明細書
【補正対象項目名】００１１
【補正方法】変更
【補正の内容】
【００１１】
本発明の他の目的は、プロセスカートリッジの使用初期や長期間放置後に発生することのあった濃度薄の問題を防止することができる画像形成装置を提供することである。
【手続補正７】
【補正対象書類名】明細書
【補正対象項目名】００１２
【補正方法】変更
【補正の内容】
【００１２】
本発明の他の目的は、帯電促進粒子を現像剤に混合し、電子写真感光体の帯電部に供給する方式を採用する場合に、プロセスカートリッジの製造段階で帯電部に帯電促進粒子を付与する必要がなく、従って帯電促進粒子の帯電部からの脱落や洩れといった問題のない画像形成装置を提供することである。
【手続補正８】
【補正対象書類名】明細書
【補正対象項目名】００１３
【補正方法】変更
【補正の内容】
【００１３】
【課題を解決するための手段】
上記目的は本発明に係る画像形成装置にて達成される。要約すれば、第１の本発明は、像担持体と、前記像担持体を帯電する帯電手段と、記憶手段とを有するプロセスカートリッジを着脱可能な画像形成装置であって、前記記憶手段に記憶されている情報に基づいて、前記プロセスカートリッジの使用状態を判定する判定手段と、前記判定手段の判定結果に応じて、前記像担持体と前記帯電手段とによって形成される帯電部に導電性の帯電促進粒子を供給する供給手段と、を有することを特徴とする画像形成装置である。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１９
【補正方法】変更
【補正の内容】
【００１９】
本発明の他の実施態様によると、前記判定手段によって、前記プロセスカートリッジが新品である、または、長期未使用状態であると判定された場合、前記供給手段は、前記帯電手段によって前記像担持体を帯電させて前記像担持体への除電を行わない状態で、前記帯電手段の帯電極性と逆の極性の電荷を前記帯電促進粒子に付与して、前記帯電促進粒子を前記帯電部に供給することができる。
【手続補正１４】
【補正対象書類名】明細書
【補正対象項目名】００２０
【補正方法】変更
【補正の内容】
【００２０】
本発明の他の実施態様によると、画像形成装置は更に、現像剤を収容する現像剤収容部及び現像剤を前記像担持体に供給する現像担持体を備えた現像手段を有し、前記現像剤収容部に前記導電性の帯電促進粒子が含まれる。
【手続補正１５】
【補正対象書類名】明細書
【補正対象項目名】００２１
【補正方法】変更
【補正の内容】
【００２１】
第２の本発明は、像担持体と、現像剤を収容する現像剤収容部及び現像剤を前記像担持体に供給する現像担持体を備えた現像手段と、前記像担持体を帯電する帯電手段と、記憶手段とを有するプロセスカートリッジを着脱可能な画像形成装置であって、前記記憶手段に記憶されている情報に基づいて、前記プロセスカートリッジの使用状態を判断する判定手段と、前記判定手段の判定結果に応じて、前記像担持体と前記帯電手段とによって形成される帯電部に導電性の帯電促進粒子を供給する供給手段と、前記像担持体を帯電させて前記像担持体への除電を行わない状態で、前記現像手段内の現像剤に電荷を付与する電荷付与手段と、を有することを特徴とする画像形成装置である。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】変更
【補正の内容】
【００３６】
【発明の実施の形態】
以下、本発明に係る画像形成装置を図面に則して更に詳しく説明する。
【手続補正３１】
【補正対象書類名】明細書
【補正対象項目名】００４３
【補正方法】変更
【補正の内容】
【００４３】
一方、感光ドラム７上へのトナー像の形成と同期して、記録材２をリフタ３ａ、記録材供給ローラ３ｂ、レジストローラ対３ｃなどの記録材搬送手段（給紙機構）３により感光ドラム７と転写手段４が対向する転写部に記録材２を供給する。
【手続補正３２】
【補正対象書類名】明細書
【補正対象項目名】００８８
【補正方法】変更
【補正の内容】
【００８８】
本実施例の画像形成装置２００のように、帯電促進粒子を現像器１０から帯電部に供給する方式では、従来、プロセスカートリッジＢ’が使用初期段階である場合、帯電部に帯電促進粒子が存在しないため、初期画像において帯電不良が発生するという問題が発生することがあった。この問題に対処するためには、プロセスカートリッジＢ’の製造段階で、ある程度の帯電促進粒子を帯電部に付与しておくという方法が考えられる。しかし、例えば、プロセスカートリッジＢ’の輸送中の振動などにより、予め帯電部に付与した帯電促進粒子が帯電部から脱落する問題がある。
【手続補正３３】
【補正対象書類名】明細書
【補正対象項目名】０１００
【補正方法】変更
【補正の内容】
【０１００】
【発明の効果】
以上説明したように、本発明の画像形成装置によれば、プロセスカートリッジの使用初期段階から良好な画像を得ることができ、又、プロセスカートリッジが長期使用されなかった場合でも、使用開始したときに常に良好な画像を得ることができ、従来、プロセスカートリッジの使用初期や長期間放置後に発生することのあった濃度薄の問題を防止することができる。